(57)【要約】【課題】  変電設備を設置する店舗等における電気料金を削減するとともに、変電設備の設置位置を変更することによって店舗敷地内の利用効率を改善する。【解決手段】  単相および三相トランスの機能を合わせ持つ変電設備１を敷地２内に直立設置する電柱３の上方に取り付ける。これにより、無効電力を抑えられ電気料金を削減できるとともに、電柱３下方周辺の空間を有効利用することができる。【選択図】図１
2012120418.tif 000002
【特許請求の範囲】
【請求項１】
単相および三相トランスの機能を合わせ持つ変圧器を内蔵した変電設備により店舗や施設に電力を供給することを特徴とする高圧受電システム。
【請求項２】
前記変電設備を店舗や施設の敷地内の受電柱上に設置することを特徴とする請求項１記載の高圧受電システム。
【発明の詳細な説明】
【技術分野】
【０００１】  本発明は、コンビニエンスストアや、外食産業及びガソリンスタンドの店舗等における電気料金を低減でき、かつ、店舗等の敷地の有効利用とケーブル類の再利用を図ることのできる高圧受電システムを提供するものである。
【背景技術】
【０００２】  従来、店舗等の受電用に使用する単相・三相トランス内蔵キュービクルの変電設備は、一般に店舗の空地を利用して設置されている（例えば、特許文献１参照）。このため、例えば、コンビニエンスストア（以下、コンビニという）等に設置される配電設備は、図４のように販売店の敷地２内の所定位置に立っている電柱３の近くに、図５のようにケーブルを通すピット６を掘り、基礎台５を作り地上に設置していた。また、変電設備の損傷を防ぐため、保護柵（フェンス）１２（図４参照）を設けることにより、変電設備の近傍は自動車などの駐車や使用を禁止していた。また従来の変電設備の移設時には、高圧ケーブル７や高圧ケーブル端末処理材１１（図６参照）を切断しなければならない。
【先行技術文献】
【特許文献】
【０００３】
【特許文献１】  実開昭５６−９８０９号公報
【発明の概要】
【発明が解決しようとする課題】
【０００４】（１）このために郊外の広い敷地を持つ販売店は問題ないが、そうでない販売店では、変電設備の設置によって敷地２内の利用できないスペースが増えるため、敷地２の利用効率の低下をもたらし、販売店の集客に対して相当の影響があり、敷地２の利用上非常に不都合を感じていた。
（２）また、コンビニ等では、変電設備の移設が多いので、そのたびに高圧ケーブル７や高圧ケーブル端末処理材１１を廃材として処理している。
（３）従来の変電設備内の変圧器は、単相、三相のトランスがそれぞれ別個に必要なことから、変圧器の定格が大きくなり、無負荷電力が増える事で消費電力が増え、電気料金が高くなる。また変圧器の容量で決まる保安管理費も高く設定され、毎月高い料金を支払う結果となる。
（４）従来の変電設備を設置する場合、危険防止の為、フェンス１２を張り巡らさなければならず、かなりのスペースが必要となる。また設置のための工事期間も長くなる。
（５）従来の変電設備は、ケーブルを通すピット６を堀り、基礎５を作り地上に設置するため、初期投資金額が高額になり、工事期間も長くなる。【０００５】  本発明は、このような不都合を解消するもので、所定位置に直立設置する電柱の上方に受電設備を設置することにより、電柱下方周辺の空間を有効利用することができるようにしたものである。
【課題を解決するための手段】
【０００６】  請求項１記載の発明は、単相および三相トランスの機能を合わせ持つ変圧器を内蔵した変電設備により店舗や施設に電力を供給することを特徴とする。【０００７】  請求項２記載の発明は、請求項１記載の発明において、前記変電設備を店舗や施設の敷地内の受電柱上に設置することを特徴とする。
【発明の効果】
【０００８】（１）本発明は、電柱の下方に変電設備が設置されないため、この空間を他の目的に利用することによって、敷地の有効利用が促進され敷地の利用効率を高めることが出来る。
（２）変電設備の移設時には、高圧ケーブル及び高圧ケーブル端末処理材を再利用することが可能である。
（３）１台で、単相と三相トランスの機能を合わせもつ変圧器を使用することにより無負荷電力をおさえ電気料金を低くし、変圧器の容量で決まる保安管理費も低く設定される。
（４）本発明は電柱の高い位置に変電設備を設置するため、店舗等の敷地内に変電設備を保護するフェンスを張り巡らさなくてよく、工事期間の短縮とその分の工事費用が不要になる。
（５）ケーブルを通すピット及び基礎がいらない為、工事期間の短縮とその分の工事費用が不要になる。
【図面の簡単な説明】
【０００９】
【図１】  本発明の変電設備の設置図である。
【図２】  本発明の変電設備の設置詳細正面図である。
【図３】  本発明の変電設備の設置詳細側面図である。
【図４】  従来の変電設備の設置図である。
【図５】  従来の変電設備の設置詳細正面図である。
【図６】  従来の変電設備の設置詳細側面図である。
【発明を実施するための形態】
【００１０】  以下、本発明の一実施例を図１乃至図３によって説明する。図１において、１は図２、図３で詳細を示す油入変圧器を内蔵した受変電設備であって、敷地２内の所定位置Ｘに直立設置する電柱３に、下方が空間を形成するよう上方に取付けて配線をしている。
【００１１】  使用に当たっては従来の変電設備と同じように用いて店舗４に電気を供給する。そして電柱３上方に変電設備１を取付け、下方に空間を設けたことによって、今まで変電設備１の損傷防止などによって使用できなかった空間の利用が出来るようになり、図４に示す如く１台しか駐車出来なかった状態を図１に示す如く２台の駐車が可能となり、敷地２の有効利用が促進され敷地２の利用効率が向上する。
【００１２】  また、変電設備１の設置に関して、ケーブル７を配線するために図５、図６で示す如くケーブルを通すピット６を掘り、基礎台５を作りその上に設置していた従来と異なり、図２、図３で示す如くケーブルを通すピット６および基礎台５が不要となり、工事期間が短縮され高圧ケーブル７の引き込みも容易になり、変電設備を移設する時には、高圧ケーブル７及び高圧ケーブル端末処理材１１の切断が不要になるので、再利用でき、さらに、水害・雪害災害の被害が少なくなる。
【００１３】  また、変電設備１は、単相と三相トランスの機能を合わせ持つ変圧器（ハイパフォーマンス変圧器）を内蔵しており、従来のように、単相、三相のトランスを別個に備える場合と比較して軽量化を図り、電柱３上方への取り付けを容易にしている。さらに、該ハイパフォーマンス変圧器を利用することにより、以下に記すように電気料金の低減を実現することができる。
【００１４】（１）初期投資額でみると、従来の変電設備の場合、キュービクル（単相トランス３０ｋＶＡ・三相トランス５０ｋＶＡ）の価格９６万円、地上設置の工事費が１９５万円、合計２９１万円になる。本発明方式によると、１台で単相と三相トランスの機能を合わせ持つハイパフォーマンス変圧器（６０ｋＶＡ）内蔵キュービクルの価格６０万円、柱上設置の工事費が９６万円、合計１５６万円となり、差し引き１３５万円の節約になる。
（２）ランニングコストをみると、従来のトランス容量（単相トランス３０ｋＶＡ・三相トランス５０ｋＶＡ）の年間の保安管理費が１５万円、無負荷損失が１９万３７９５円、合計３４万３７９５円になる。本発明方式によると、トランス容量６０ｋＶＡの年間の保安管理費が、１２万４８００円、無負荷損失が１２万２７４２円、合計２４万７５４２円となり、差し引き９万６２５３円の節約になる。
【産業上の利用可能性】
【００１５】  コンビニエンスストア等の店舗の敷地内に設置する受変電設備として利用可能である。
【符号の説明】
【００１６】１  変電設備
２  敷地
３  電柱
４  店舗
５  基礎台
６  ケーブル引き込みピット
７  高圧ケーブル
８  三相変圧器
９  単相変圧器
１０  ハイパフォーマンス変圧器
１１  高圧ケーブル端末処理材
１２  フェンス
Ｘ  所定位置
【図１】
2012120418.tif 000003
【図２】
2012120418.tif 000004
【図３】
2012120418.tif 000005
【図４】
2012120418.tif 000006
【図５】
2012120418.tif 000007
【図６】
2012120418.tif 000008